(57)【要約】【課題】交流信号源の故障や破損を防止すると共に、定格電圧や定格電流が大きい高価な交流信号源を不要にして測定コストを低減できる入力インピーダンス測定装置及び方法を提供する。【解決手段】直流電圧を生成する直流電源装置と直流負荷装置間に変圧器の第１巻線またはインダクタを直列に接続し、直流負荷装置の入力インピーダンスの測定で用いる交流信号を変圧器の第２巻線に接続した交流信号源、直流負荷装置の入力端と並列に接続した交流信号源またはインダクタと並列に接続した交流信号源から供給する。この交流信号源は変圧器またはコンデンサによって直流電源装置から直流的に絶縁しておく。この状態にて直流負荷装置に入力される交流電圧及び交流電流をそれぞれ測定し、該交流電圧及び交流電流の測定値から入力インピーダンスを算出する。【選択図】図１
2008076337.tif 000002
【特許請求の範囲】
【請求項１】
直流電圧が供給されることで動作する直流負荷装置の入力インピーダンスを測定するための入力インピーダンス測定装置であって、
前記直流負荷装置に対して所要の直流電圧を供給する直流電源装置と、
前記直流電源装置と前記直流負荷装置間に第１巻線が直列に接続される変圧器と、
前記直流負荷装置の入力インピーダンスの測定で用いる交流信号を前記変圧器の第２巻線に対して入力する交流信号源と、
前記直流負荷装置に入力される交流電圧及び交流電流をそれぞれ測定し、該交流電圧及び交流電流の測定値から前記入力インピーダンスを算出する測定制御装置と、
を有する入力インピーダンス測定装置。
【請求項２】
直流電圧が供給されることで動作する直流負荷装置の入力インピーダンスを測定するための入力インピーダンス測定装置であって、
前記直流負荷装置に対して所要の直流電圧を供給する直流電源装置と、
前記直流電源装置と前記直流負荷装置間に直列に接続されるインダクタと、
前記直流負荷装置の入力端と並列に接続される、直列に接続されたコンデンサ及び前記直流負荷装置の入力インピーダンスの測定で用いる交流信号を出力する交流信号源と、
前記直流負荷装置に入力される交流電圧及び交流電流をそれぞれ測定し、該交流電圧及び交流電流の測定値から前記入力インピーダンスを算出する測定制御装置と、
を有する入力インピーダンス測定装置。
【請求項３】
直流電圧が供給されることで動作する直流負荷装置の入力インピーダンスを測定するための入力インピーダンス測定装置であって、
前記直流負荷装置に対して所要の直流電圧を供給する直流電源装置と、
前記直流電源装置と前記直流負荷装置間に直列に接続されるインダクタと、
前記インダクタと並列に接続される、直列に接続されたコンデンサ及び前記直流負荷装置の入力インピーダンスの測定で用いる交流信号を出力する交流信号源と、
前記直流負荷装置に入力される交流電圧及び交流電流をそれぞれ測定し、該交流電圧及び交流電流の測定値から前記入力インピーダンスを算出する測定制御装置と、
を有する入力インピーダンス測定装置。
【請求項４】
所要の直流電圧が供給されることで動作する直流負荷装置の入力インピーダンスを測定するための入力インピーダンス測定方法であって、
前記直流電圧を生成する直流電源装置と前記直流負荷装置間に変圧器の第１巻線を直列に接続しておき、
前記直流電源装置から前記直流負荷装置に対して所要の直流電圧を供給し、前記直流負荷装置の入力インピーダンスの測定で用いる交流信号を交流信号源から前記変圧器の第２巻線へ入力し、
ゲインフェーズアナライザが、前記直流負荷装置に入力される交流電圧及び交流電流をそれぞれ測定し、該交流電圧及び交流電流の測定値から前記入力インピーダンスを算出する入力インピーダンス測定方法。
【請求項５】
所要の直流電圧が供給されることで動作する直流負荷装置の入力インピーダンスを測定するための入力インピーダンス測定方法であって、
前記直流電圧を生成する直流電源装置と前記直流負荷装置間にインダクタを直列に接続すると共に、直列に接続されたコンデンサ及び前記直流負荷装置の入力インピーダンスの測定で用いる交流信号を生成する交流信号源を前記直流負荷装置の入力端と並列に接続しておき、
前記直流電源装置から前記直流負荷装置に対して所要の直流電圧を供給し、前記交流信号源から前記交流信号を出力し、
ゲインフェーズアナライザが、前記直流負荷装置に入力される交流電圧及び交流電流をそれぞれ測定し、該交流電圧及び交流電流の測定値から前記入力インピーダンスを算出する入力インピーダンス測定方法。
【請求項６】
所要の直流電圧が供給されることで動作する直流負荷装置の入力インピーダンスを測定するための入力インピーダンス測定方法であって、
前記直流電圧を生成する直流電源装置と前記直流負荷装置間にインダクタを直列に接続すると共に、直列に接続されたコンデンサ及び前記直流負荷装置の入力インピーダンスの測定で用いる交流信号を生成する交流信号源を前記インダクタと並列に接続しておき、
前記直流電源装置から前記直流負荷装置に対して所要の直流電圧を供給し、前記交流信号源から前記交流信号を出力し、
ゲインフェーズアナライザが、前記直流負荷装置に入力される交流電圧及び交流電流をそれぞれ測定し、該交流電圧及び交流電流の測定値から前記入力インピーダンスを算出する入力インピーダンス測定方法。
【発明の詳細な説明】
【技術分野】
【０００１】
本発明は直流電圧が供給されることで動作する直流負荷装置の入力インピーダンスを測定する入力インピーダンス測定装置及び方法に関する。
【背景技術】
【０００２】
任意の装置の入力インピーダンスは、例えば非特許文献１に記載されているように装置に対する入力電圧を入力電流で除算した値で定義される。したがって、入力インピーダンスを測定する場合、交流信号源を用いて被測定装置に交流信号を入力し、その入力端における交流電圧及び交流電流を測定し、それらの測定値（振幅及び位相）からベクトル演算を行うことで入力インピーダンスを求めればよい。
【０００３】
しかしながら、被測定対象がインバータやＤＣ−ＤＣコンバータ等のように直流電圧が供給されることで動作する直流負荷装置である場合、入力インピーダンスはその直流動作点によって変化する。
【０００４】
そのため、直流負荷装置の動作時における入力インピーダンスを測定するためには、直流負荷装置に対して所要の直流電圧を供給する必要がある。また、該直流電圧を生成する直流電源装置と直流負荷装置との間に交流信号源を直列に挿入し、交流信号源から出力される交流信号を直流負荷装置へ供給する直流電圧に重畳して入力する必要がある。このとき、直流電源装置から出力された直流電圧は交流信号源にも印加されるため、交流信号源は直流電流が流れている状態で動作する。
【非特許文献１】藤井信生著「アナログ電子回路」昭晃堂、１９８４年３月１５日、ｐ．６５〜６７
【発明の開示】
【発明が解決しようとする課題】
【０００５】
上述したように従来の入力インピーダンス測定方法では、直流負荷装置へ供給する直流電圧が交流信号源にも印加されるため、交流信号源は直流電流が流れている状態で動作する。そのため、入力電圧が高く、消費電力が大きい直流負荷装置の入力インピーダンスを測定する場合、交流信号源にも高い直流電圧が印加され、大きな直流電流が流れてしまう。このとき、交流信号源に、その定格電圧を越える直流電圧が印加され、定格電流を越える直流電流が流れると、交流信号源が故障あるいは破損するおそれがある。
【０００６】
交流信号源の故障や破損を防止するためには、定格電圧や定格電流が大きいものを使用すればよい。しかしながら、それでは交流信号源が高価になって入力インピーダンスの測定に要するコストが増大してしまう。
【０００７】
本発明は上記したような従来の技術が有する問題点を解決するためになされたものであり、交流信号源の故障や破損を防止すると共に、定格電圧や定格電流が大きい高価な交流信号源を不要にして測定コストを低減できる入力インピーダンス測定装置及び方法を提供することを目的とする。
【課題を解決するための手段】
【０００８】
上記目的を達成するため本発明の入力インピーダンス測定装置は、直流電圧が供給されることで動作する直流負荷装置の入力インピーダンスを測定するための入力インピーダンス測定装置であって、
前記直流負荷装置に対して所要の直流電圧を供給する直流電源装置と、
前記直流電源装置と前記直流負荷装置間に第１巻線が直列に接続される変圧器と、
前記直流負荷装置の入力インピーダンスの測定で用いる交流信号を前記変圧器の第２巻線に対して入力する交流信号源と、
前記直流負荷装置に入力される交流電圧及び交流電流をそれぞれ測定し、該交流電圧及び交流電流の測定値から前記入力インピーダンスを算出する測定制御装置と、
を有する。
【０００９】
または、直流電圧が供給されることで動作する直流負荷装置の入力インピーダンスを測定するための入力インピーダンス測定装置であって、
前記直流負荷装置に対して所要の直流電圧を供給する直流電源装置と、
前記直流電源装置と前記直流負荷装置間に直列に接続されるインダクタと、
前記直流負荷装置の入力端と並列に接続される、直列に接続されたコンデンサ及び前記直流負荷装置の入力インピーダンスの測定で用いる交流信号を出力する交流信号源と、
前記直流負荷装置に入力される交流電圧及び交流電流をそれぞれ測定し、該交流電圧及び交流電流の測定値から前記入力インピーダンスを算出する測定制御装置と、
を有する。
【００１０】
または、直流電圧が供給されることで動作する直流負荷装置の入力インピーダンスを測定するための入力インピーダンス測定装置であって、
前記直流負荷装置に対して所要の直流電圧を供給する直流電源装置と、
前記直流電源装置と前記直流負荷装置間に直列に接続されるインダクタと、
前記インダクタと並列に接続される、直列に接続されたコンデンサ及び前記直流負荷装置の入力インピーダンスの測定で用いる交流信号を出力する交流信号源と、
前記直流負荷装置に入力される交流電圧及び交流電流をそれぞれ測定し、該交流電圧及び交流電流の測定値から前記入力インピーダンスを算出する測定制御装置と、
を有する。
【００１１】
一方、本発明の入力インピーダンス測定方法は、所要の直流電圧が供給されることで動作する直流負荷装置の入力インピーダンスを測定するための入力インピーダンス測定方法であって、
前記直流電圧を生成する直流電源装置と前記直流負荷装置間に変圧器の第１巻線を直列に接続しておき、
前記直流電源装置から前記直流負荷装置に対して所要の直流電圧を供給し、前記直流負荷装置の入力インピーダンスの測定で用いる交流信号を交流信号源から前記変圧器の第２巻線へ入力し、
ゲインフェーズアナライザが、前記直流負荷装置に入力される交流電圧及び交流電流をそれぞれ測定し、該交流電圧及び交流電流の測定値から前記入力インピーダンスを算出する方法である。
【００１２】
または、所要の直流電圧が供給されることで動作する直流負荷装置の入力インピーダンスを測定するための入力インピーダンス測定方法であって、
前記直流電圧を生成する直流電源装置と前記直流負荷装置間にインダクタを直列に接続すると共に、直列に接続されたコンデンサ及び前記直流負荷装置の入力インピーダンスの測定で用いる交流信号を生成する交流信号源を前記直流負荷装置の入力端と並列に接続しておき、
前記直流電源装置から前記直流負荷装置に対して所要の直流電圧を供給し、前記交流信号源から前記交流信号を出力し、
ゲインフェーズアナライザが、前記直流負荷装置に入力される交流電圧及び交流電流をそれぞれ測定し、該交流電圧及び交流電流の測定値から前記入力インピーダンスを算出する方法である。
【００１３】
または、所要の直流電圧が供給されることで動作する直流負荷装置の入力インピーダンスを測定するための入力インピーダンス測定方法であって、
前記直流電圧を生成する直流電源装置と前記直流負荷装置間にインダクタを直列に接続すると共に、直列に接続されたコンデンサ及び前記直流負荷装置の入力インピーダンスの測定で用いる交流信号を生成する交流信号源を前記インダクタと並列に接続しておき、
前記直流電源装置から前記直流負荷装置に対して所要の直流電圧を供給し、前記交流信号源から前記交流信号を出力し、
ゲインフェーズアナライザが、前記直流負荷装置に入力される交流電圧及び交流電流をそれぞれ測定し、該交流電圧及び交流電流の測定値から前記入力インピーダンスを算出する方法である。
【００１４】
上記のような入力インピーダンス測定装置及び方法では、変圧器またはコンデンサによって交流信号源が直流電源装置から直流的に絶縁されるため、直流電源装置から出力された直流電圧が交流信号源に印加されず、交流信号源に直流電流が流れることが無い。
【発明の効果】
【００１５】
本発明によれば、交流信号源に対して直流電圧や直流電流が入力されることによる、該交流信号源の故障や破損が防止される。また、定格電圧や定格電流の小さい交流信号源を用いて入力インピーダンスを測定することが可能になるため、入力インピーダンスの測定コストが低減できる。
【発明を実施するための最良の形態】
【００１６】
次に本発明について図面を参照して説明する。
（第１の実施の形態）
図１は本発明の入力インピーダンス測定装置の第１の実施の形態の構成を示すブロック図である。
【００１７】
図１に示すように、第１の実施の形態の入力インピーダンス測定装置は、入力インピーダンスの測定対象である直流負荷装置１０２に対して所要の直流電圧を供給する直流電源装置１０１と、直流電源装置１０１と直流負荷装置１０２間に第１巻線が直列に接続される変圧器１０３と、変圧器１０３の第２巻線に対して直流負荷装置１０２の入力インピーダンスの測定で用いる交流信号を入力する交流信号源１０４と、直流負荷装置１０２の入力端における交流電圧Ｖｉｎ及び交流電流Ｉｉｎをそれぞれ測定し、入力インピーダンスを算出する測定制御装置１０５とを有する構成である。図１に示す変圧器１０３が接続されない直流電源装置１０１の出力端は、接地されていてもよく、接地されていなくてもよい。
【００１８】
直流負荷装置１０２は、例えば３００Ｖの直流電圧で動作する、消費電力が５ｋＷの装置とする。直流負荷装置１０２は、上記仕様の装置に限定されるものではなく、どのような仕様の装置であってもよい。
【００１９】
測定制御装置１０５は、直流負荷装置１０２の入力端の交流電圧Ｖｉｎを測定するための電圧プローブ及び直流負荷装置１０２の入力端に流れる交流電流Ｉｉｎを測定するための電流プローブを備え、電圧プローブ及び電流プローブを用いて装置内に取り込んだ交流電圧Ｖｉｎ及び交流電流Ｉｉｎの測定値（振幅及び位相）からベクトル演算を行うことで入力インピーダンスを算出し、その算出結果を出力する。なお、交流電流Ｉｉｎは、電流プローブに限らず、シャント抵抗器（抵抗値Ｒ）を変圧器１０３と直流負荷装置１０２間に直列に挿入し、該シャント抵抗器の両端電圧Ｖｓｈを電圧プローブにて測定し、Ｖｓｈ／Ｒから求めてもよい。
【００２０】
測定制御装置１０５は、例えば装置内に取り込んだ交流電圧Ｖｉｎ及び交流電流Ｉｉｎの測定値をデジタルデータに変換するＡ／Ｄコンバータ、プログラムにしたがって演算や処理を実行するＤＳＰやＣＰＵ及び各種の論理回路によって実現できる。
【００２１】
交流信号源１０４は、変圧器１０３の第２巻線に対して、所定の周波数で、例えば３Ｖの交流信号を出力する。交流信号源１０４の出力電圧は、直流負荷装置１０２の入力端における交流電圧Ｖｉｎや交流電流Ｉｉｎの測定に最適な値に設定すればよく、上記３Ｖに限定されるものではない。
【００２２】
交流信号源１０４から出力する交流信号の周波数は、直流負荷装置１０２の仕様に応じた所定の周波数範囲内に設定すればよい。交流信号の周波数は、固定値である必要はなく、例えば、ある周波数の交流信号における入力インピーダンスの測定終了毎に測定制御装置１０５からの指示にしたがって交流信号源１０４の出力周波数を順次変化させてもよい。また、交流信号として所定の範囲内の周波数成分を全て含む合成信号を使用してもよい。このように交流信号源１０４から所定の範囲内の複数の周波数の交流信号を出力すれば入力インピーダンスの周波数特性を得ることができる。交流信号の周波数を所定の範囲内で変化させて入力インピーダンスを測定する場合、上記測定制御装置１０５に代えてインピーダンスアナライザあるいは周波数特性分析器等も含む周知のゲインフェーズアナライザを用いてもよい。ゲインフェーズアナライザには交流信号源１０４の機能を備えていてもよく、備えていなくてもよい。
【００２３】
このような構成において、図１に示す直流負荷装置１０２の入力インピーダンスを測定する場合、直流電源装置１０１は直流負荷装置１０２に対して所要の直流電圧を供給する。また、交流信号源１０４は、測定制御装置１０５からの指示にしたがって入力インピーダンスの測定に用いる所定の周波数の交流信号を出力する。
【００２４】
交流信号源１０４から出力された交流信号は変圧器１０３を介して直流負荷装置１０２へ供給される。例えば変圧器１０３の変圧比が１対１の場合、直流負荷装置１０２には直流電源装置１０１から出力された直流電圧（３００Ｖ）に交流信号源１０４から出力された交流信号（３Ｖ）が重畳された電圧が入力される。
【００２５】
測定制御装置１０５は、この状態で直流負荷装置１０２の入力端における交流電圧Ｖｉｎ及び交流電流Ｉｉｎの測定値をそれぞれ取り込み、それらの値からＶｉｎ／Ｉｉｎを計算し、その計算結果を直流負荷装置１０２の入力インピーダンスとして出力する（ディスプレイ等に表示する）。
【００２６】
第１の実施の形態によれば、変圧器１０３によって交流信号源１０４が直流電源装置１０１から直流的に絶縁されるため、直流電源装置１０１から出力された直流電圧が交流信号源１０４に印加されず、交流信号源１０４に直流電流が流れることが無い。したがって、交流信号源１０４に対して直流電圧や直流電流が入力されることによる、該交流信号源１０４の故障や破損が防止される。また、定格電圧や定格電流の小さい交流信号源１０４を用いて入力インピーダンスを測定することが可能になるため、入力インピーダンスの測定コストが低減できる。
（第２の実施の形態）
図２は本発明の入力インピーダンス測定装置の第２の実施の形態の構成を示すブロック図である。
【００２７】
図２に示すように、第２の実施の形態の入力インピーダンス測定装置は、直流電源装置と直流負荷装置間に第１の実施の形態で示した変圧器１０３に代えてインダクタ２０３が直列に接続され、交流信号源２０５が直流負荷装置の入力端と並列に接続された構成である。交流信号源２０５には、直流電源装置から出力された直流電圧が交流信号源２０５に印加されないようにコンデンサ２０４が直列に接続されている。その他の構成は第１の実施の形態と同様であるため、その説明は省略する。
【００２８】
このような構成において、図２に示す直流負荷装置の入力インピーダンスを測定する場合、直流電源装置は直流負荷装置に対して所要の直流電圧を供給する。また、交流信号源２０５は、測定制御装置からの指示にしたがって入力インピーダンスの測定に用いる所定の周波数の交流信号を出力する。このとき、第２の実施の形態では、交流信号の周波数に対してコンデンサ２０４のインピーダンスが十分に小さくなるように設定しておけば、交流信号はコンデンサ２０４を通過して直流負荷装置に印加される。一方、交流信号の周波数に対してインダクタ２０３のインピーダンスが十分に大きくなるように設定しておけば、交流信号は直流電源装置に対してほとんど流れ込まないため、交流信号源２０５の過負荷が防止される。
【００２９】
測定制御装置は、この状態で直流負荷装置の入力端における交流電圧Ｖｉｎ及び交流電流Ｉｉｎの測定値をそれぞれ取り込み、それらの値からＶｉｎ／Ｉｉｎを計算し、その計算結果を直流負荷装置の入力インピーダンスとして出力する。
【００３０】
第２の実施の形態によれば、コンデンサ２０４によって交流信号源２０５が直流電源装置から直流的に絶縁されるため、直流電源装置から出力された直流電圧が交流信号源２０５に印加されず、交流信号源２０５に直流電流が流れることが無い。したがって、第１の実施の形態と同様に交流信号源２０５に対して直流電圧や直流電流が入力されることによる、該交流信号源２０５の故障や破損が防止される。また、定格電圧や定格電流の小さい交流信号源２０５を用いて入力インピーダンスを測定することが可能になるため、入力インピーダンスの測定コストが低減できる。
【００３１】
さらに、第２の実施の形態の入力インピーダンス測定方法によれば、交流信号源２０５から出力された交流信号がインダクタ２０３によって直流電源装置へ流れ込むことがないため、交流信号源２０５の過負荷が防止される。
（第３の実施の形態）
図３は本発明の入力インピーダンス測定装置の第３の実施の形態の構成を示すブロック図である。
【００３２】
図３に示すように、第３の実施の形態の入力インピーダンス測定装置は、直流電源装置と直流負荷装置間に第２の実施の形態と同様にインダクタ３０３が直列に接続され、該インダクタ３０３と並列に交流信号源３０５が接続された構成である。交流信号源３０５には、直流電源装置から出力された直流電圧が交流信号源３０５に印加されないように、その一方の出力端に第１のコンデンサ３０４が直列に接続され、他方の出力端に第２のコンデンサ３０６が直列に接続されている。その他の構成は第１の実施の形態と同様であるため、その説明は省略する。
【００３３】
このような構成において、図３に示す直流負荷装置の入力インピーダンスを測定する場合、直流電源装置は直流負荷装置に対して所要の直流電圧を供給する。また、交流信号源３０５は、測定制御装置からの指示にしたがって入力インピーダンスの測定に用いる所定の周波数の交流信号を出力する。このとき、第３の実施の形態では、交流信号の周波数に対して第１のコンデンサ３０４及び第２のコンデンサ３０６のインピーダンスが十分に小さくなるように設定しておけば、交流信号は第１のコンデンサ３０４及び第２のコンデンサ３０６を通過して直流負荷装置に印加される。一方、交流信号の周波数に対してインダクタ３０３のインピーダンスが十分に大きくなるように設定しておけば、交流信号は直流電源装置に対してほとんど流れ込まないため、交流信号源３０５の過負荷が防止される。
【００３４】
測定制御装置は、この状態で直流負荷装置の入力端における交流電圧Ｖｉｎ及び交流電流Ｉｉｎの測定値をそれぞれ取り込み、それらの値からＶｉｎ／Ｉｉｎを計算し、その計算結果を直流負荷装置の入力インピーダンスとして出力する。
【００３５】
第３の実施の形態によれば、第１のコンデンサ３０４及び第２のコンデンサ３０６によって交流信号源３０５が直流電源装置から直流的に絶縁されるため、直流電源装置から出力された直流電圧が交流信号源３０５に印加されず、交流信号源３０５に直流電流が流れることが無い。したがって、第１の実施の形態及び第２の実施の形態と同様に交流信号源３０５に対して直流電圧や直流電流が入力されることによる、該交流信号源３０５の故障や破損が防止される。また、定格電圧や定格電流の小さい交流信号源３０５を用いて入力インピーダンスを測定することが可能になるため、入力インピーダンスの測定コストが低減できる。
【００３６】
さらに、第３の実施の形態の入力インピーダンス測定方法によれば、第２の実施の形態と同様に交流信号源３０５から出力された交流信号がインダクタ３０３によって直流電源装置へ流れ込むことがないため、交流信号源３０５の過負荷が防止される。
（第４の実施の形態）
図４は本発明の入力インピーダンス測定装置の第４の実施の形態の構成を示すブロック図である。
【００３７】
図４に示すように、第４の実施の形態の入力インピーダンス測定装置は、直流電源装置の一方の出力端が接地され、該接地された直流電源装置の出力端と直流負荷装置の入力端の間にインダクタ４０３が直列に接続され、該インダクタ４０３と並列に交流信号源４０５が接続された構成である。交流信号源４０５には、直流電源装置から出力された直流電圧が交流信号源４０５に印加されないようにコンデンサ４０４が直列に接続されている。コンデンサ４０４は、交流信号源４０５の直流電源装置側の出力端に接続されていてもよく、直流負荷装置側の出力端に接続されていてもよい。その他の構成は第１の実施の形態と同様であるため、その説明は省略する。
【００３８】
このような構成において、図４に示す直流負荷装置の入力インピーダンスを測定する場合、直流電源装置は直流負荷装置に対して所要の直流電圧を供給する。また、交流信号源４０５は、測定制御装置からの指示にしたがって入力インピーダンスの測定に用いる所定の周波数の交流信号を出力する。このとき、第４の実施の形態では、交流信号の周波数に対してコンデンサ４０４のインピーダンスが十分に小さくなるように設定しておけば、交流信号はコンデンサ４０４を通過して直流負荷装置に印加される。一方、交流信号の周波数に対してインダクタ４０３のインピーダンスが十分に大きくなるように設定しておけば、交流信号は直流電源装置に対してほとんど流れ込まないため、交流信号源４０５の過負荷が防止される。
【００３９】
測定制御装置は、この状態で直流負荷装置の入力端における交流電圧Ｖｉｎ及び交流電流Ｉｉｎの測定値をそれぞれ取り込み、それらの値からＶｉｎ／Ｉｉｎを計算し、その計算結果を直流負荷装置の入力インピーダンスとして出力する。
【００４０】
第４の実施の形態の入力インピーダンス測定方法によれば、コンデンサ４０４によって交流信号源４０５が直流電源装置から直流的に絶縁されるため、直流電源装置から出力された直流電圧が交流信号源４０５に印加されず、交流信号源４０５に直流電流が流れることが無い。したがって、第１の実施の形態〜第３の実施の形態と同様に交流信号源４０５に対して直流電圧や直流電流が入力されることによる、交流信号源４０５の故障や破損が防止される。また、定格電圧や定格電流の小さい交流信号源４０５を用いて入力インピーダンスを測定することが可能になるため、入力インピーダンスの測定コストが低減できる。
【００４１】
さらに、第４の実施の形態によれば、第２の実施の形態及び第３の実施の形態と同様に交流信号源４０５から出力された交流信号がインダクタ４０３によって直流電源装置へ流れ込むことがないため、交流信号源４０５の過負荷が防止される。特に第４の実施の形態では第３の実施の形態に比べてコンデンサの数を減らすことができるため、測定系を簡素化できる。
【図面の簡単な説明】
【００４２】
【図１】本発明の入力インピーダンス測定装置の第１の実施の形態の構成を示すブロック図である。
【図２】本発明の入力インピーダンス測定装置の第２の実施の形態の構成を示すブロック図である。
【図３】本発明の入力インピーダンス測定装置の第３の実施の形態の構成を示すブロック図である。
【図４】本発明の入力インピーダンス測定装置の第４の実施の形態の構成を示すブロック図である。
【符号の説明】
【００４３】
１０１    直流電源装置
１０２    直流負荷装置
１０３    変圧器
１０４、２０５、３０５、４０５    交流信号源
１０５    測定制御装置
２０３、３０３、４０３    インダクタ
２０４、３０４、３０６、４０４    コンデンサ
【図１】
2008076337.tif 000003
【図２】
2008076337.tif 000004
【図３】
2008076337.tif 000005
【図４】
2008076337.tif 000006